(57)【特許請求の範囲】
【請求項１】
基板上に、
第１の電極、第２の電極および前記第１の電極と前記第２の電極との間に設けられた発光層を有する発光素子を備えた単位回路と、
前記単位回路にデータ信号を供給するデータ線と、
前記単位回路に走査信号を供給する走査線と、
前記走査線と電気的に接続された走査線駆動回路と、
前記第１の電極に電気的に接続された第１の配線と、
前記第２の電極に電気的に接続された第２の配線と、を備え、
前記単位回路は、前記基板上の発光領域に設けられており、
前記第１の配線と前記第２の配線とは、平面視で重なる第１の部分を有し、
前記走査線駆動回路は、平面視において、前記第１の配線と電気的に接続された第１電源端子と前記発光領域との間に設けられており、
前記第１の部分は、平面視において、前記走査線駆動回路と前記第１電源端子との間に設けられていることを特徴とする発光装置。
【請求項２】
前記第１電源端子は、前記基板上の外周をなす第１の辺に沿って設けられた第１の第１電源端子と、前記第１の辺と対向する第２の辺に沿って設けられた第２の第１電源端子と、を有することを特徴とする請求項１に記載の発光装置。
【請求項３】
前記第２の配線と電気的に接続された第２電源端子と、を有し、
前記走査線駆動回路は、平面視において、前記第２電源端子と前記発光領域との間に設けられていることを特徴とする請求項１または２に記載の発光装置。
【請求項４】
前記第１電源端子は、前記基板上の外周をなす第１の辺に沿って設けられた第１の第１電源端子と、前記第１の辺と対向する第２の辺に沿って設けられた第２の第１電源端子と、を有し、
前記第２の配線と電気的に接続された第２電源端子が設けられており、
前記走査線駆動回路は、平面視において、前記第２電源端子と前記発光領域との間に設けられており、
前記第２電源端子は、前記第１の辺に沿って設けられた第１の第２電源端子と、前記第２の辺に沿って設けられた第２の第２電源端子と、を有し、
前記第１の第２電源端子と前記第１の第１電源端子、および前記第２の第２電源端子と前記第２の第１電源端子とは、互いに隣りあうように設けられていることを特徴とする請求項１に記載の発光装置。
【請求項５】
前記第１電源端子は、前記基板上の外周をなす第１の辺に沿って設けられた第１の第１電源端子と、前記第１の辺と対向する第２の辺に沿って設けられた第２の第１電源端子と、を有し、
前記第２の配線と電気的に接続された第２電源端子が設けられており、
前記走査線駆動回路は、平面視において、前記第２電源端子と前記発光領域との間に設けられており、
前記第２電源端子は、前記第１の辺に沿って設けられた第１の第２電源端子と、前記第２の辺に沿って設けられた第２の第２電源端子と、を有し、
前記第１の第１電源端子と前記第２の第１電源端子、および前記第１の第２電源端子と前記第２の第２電源端子とが互いに対向するように設けられていることを特徴とする請求項１に記載の発光装置。
【請求項６】
前記走査線駆動回路と電気的に接続された第３の配線と、
前記第３の配線と電気的に接続された第３電源端子と、を有し、
前記第１の配線と前記第３の配線とは平面的に重なる部分を有することを特徴とする請求項１乃至５のいずれか１項に記載の発光装置。
【請求項７】
前記第１の辺および前記第２の辺と交差する、第３の辺および前記第３の辺に対向する第４の辺を有し、
少なくとも前記第１の配線および前記第２の配線のどちらか一方は、前記第１の辺、前記第２の辺および前記第３の辺の各々の辺に沿って設けられていることを特徴とする請求項５または６に記載の発光装置。
【請求項８】
前記第１電源端子は、前記基板上の第１の層に設けられ、
前記第１の配線は、前記第１の層と異なる前記基板上の第２の層に設けられ、
前記第１の層と前記第２の層との間には、絶縁層が設けられており、
前記第１電源端子と前記第１の配線とは、前記絶縁層に設けられたコンタクトホールを介して電気的に接続されていることを特徴とする請求項１乃至７のいずれか１項に記載の発光装置。
【請求項９】
前記第１電源端子は、前記基板上の第１の層に設けられ、
前記第１の配線は、前記第１の層と異なる前記基板上の第２の層に設けられ、
前記第１の層と前記第２の層との間には、絶縁層が設けられており、
前記第１電源端子と前記第１の配線とは、前記絶縁層に設けられたコンタクトホールを介して電気的に接続されており、
前記第２電源端子および前記第２配線は、前記基板上の第１の層に設けられていることを特徴とする請求項３乃至５のうちいずれか１項に記載の発光装置。
【請求項１０】
前記データ線と電気的に接続されたデータ線駆動回路と、
平面視において、前記データ線駆動回路は、前記単位回路が設けられた発光領域と前記第１電源端子との間に設けられていないことを特徴とする請求項１乃至９のいずれか１項に記載の発光装置。
【請求項１１】
請求項１乃至１０のうちいずれか１項に記載の発光装置を備えたことを特徴とする電子機器。
【発明の詳細な説明】
【技術分野】
【０００１】
本発明は、有機発光ダイオード素子のように電流量に応じた大きさの光を発光する発光
素子を用いた発光装置及び電子機器に関する。
【背景技術】
【０００２】
近年、液晶素子に代わる次世代の発光デバイスとして、有機エレクトロルミネッセンス
素子や発光ポリマー素子等と呼ばれる有機発光ダイオード（Organic  Light  Emitting  
Diode、以下適宜「ＯＬＥＤ素子」と略称する）素子が注目されている。このＯＬＥＤ素
子を含む単位回路を格子状に配列した発光装置が開発されている。ＯＬＥＤ素子は陰極と
陽極との間に発光層を挟持して構成される。
特許文献１及び２には、格子状に配列されＯＬＥＤ素子を有する複数の単位回路と、各
ＯＬＥＤ素子の階調を指定するデータ信号が供給される複数のデータ線とを有する発光装
置が開示されている。これらの発光装置では、データ線を延長した直線が基板と交差する
辺から、データ信号、制御信号、高電位電源及び低電位電源が供給される。一般に、高電
位電源はＯＬＥＤ素子に電流を供給するトランジスタに供給され、低電位電源はＯＬＥＤ
素子の陰極に供給される。
【特許文献１】特開２００４−０５５５２９号公報
【特許文献２】特開２００１−１０９３９５号公報
【発明の開示】
【発明が解決しようとする課題】
【０００３】
しかしながら、高電位電源が供給される入力端子から各単位回路までの距離、及び低電
位電源から各ＯＬＥＤ素子までの距離は相違し、距離に応じた電圧降下が発生する。この
電圧降下に起因して、ＯＬＥＤ素子の輝度ムラが発生するといった問題があった。
本発明は、上述した事情に鑑みてなされたもので、その目的とするところは、電圧降下
を改善し、輝度ムラを目立たなくすることが可能な発光装置及び電子機器を提供すること
にある。
【課題を解決するための手段】
【０００４】
上述した課題を解決するため、本発明に係る発光装置は、基板上に、第１の電極、第２の電極および前記第１の電極と前記第２の電極との間に設けられた発光層を有する発光素子を備えた単位回路と、前記単位回路にデータ信号を供給するデータ線と、前記単位回路に走査信号を供給する走査線と、前記走査線と電気的に接続された走査線駆動回路と、前記第１の電極に電気的に接続された第１の配線と、前記第２の電極に電気的に接続された第２の配線と、を備え、前記単位回路は、前記基板上の発光領域に設けられており、前記第１の配線と前記第２の配線とは、平面視で重なる第１の部分を有し、前記走査線駆動回路は、平面視において、前記第１の配線と電気的に接続された第１電源端子と前記発光領域との間に設けられており、前記第１の部分は、平面視において、前記走査線駆動回路と前記第１電源端子との間に設けられていることを特徴とする。
上述した課題を解決するため、本発明に係る発光装置は、基板上に、第１の電極および第２の電極を有する単位回路が設けられた発光領域と、前記単位回路にデータ信号を供給するデータ線と、前記単位回路に走査信号を供給する走査線と、前記走査線と電気的に接続された走査線駆動回路と、前記第１の電極に電気的に接続された第１の配線と、前記第２の電極に電気的に接続された第２の配線と、を備え、前記第１の配線と前記第２の配線とは、平面的に重なる第１の部分を有し、前記走査線駆動回路は、平面視において、前記第１の配線と電気的に接続された第１電源端子と前記発光領域との間に設けられており、前記第１の部分は、平面視において、前記走査線駆動回路と前記第１電源端子との間に設けられていることを特徴とする。
上述した課題を解決するため、本発明に係る発光装置は、基板上に、単位回路を有する発光領域と、前記単位回路にデータ信号を供給するデータ線と、前記データ線と電気的に接続されたデータ線駆動回路と、前記単位回路に電気的に接続された第１の配線と、前記第１の配線と電気的に接続された電源端子と、を備え、前記電源端子は、前記基板の外周をなす第１の辺および前記第１の辺と対向する第２の辺に設けられ、かつ前記第１の辺と交差する第３の辺および前記第３の辺と対向する第４の辺には設けられておらず、平面視において、前記データ線駆動回路は、前記発光領域と前記電源端子との間に設けられていないことを特徴とする。
上述した課題を解決するため、本発明に係る発光装置は、発光領域に形成された複数の単位回路と、前記複数の単位回路に電源を供給する複数の補助電源配線と、前記複数の単位回路にデータ信号を供給する複数のデータ線とが形成された第１の基板と、前記第１の基板において、前記複数のデータ線を延長した直線が交わる２つの辺のうち一方の辺を第１の辺としたとき、前記第１の辺と異なり、互いに対向する第２の辺及び第３の辺の端部に各々設けられ、前記複数の補助電源線と電気的に接続された複数の電源端子とを備えたことを特徴とする。
【０００５】
この発光装置によれば、データ線を延長した直線が交わらない２つの辺から電源が供給
される。データ線にはデータ信号が供給されるため、第１の辺にデータ入力端子を設ける
か、あるいは、データ信号を生成するデータ線駆動回路を第１の辺に沿って配置する必要
がある。このため、第１の辺に電源を供給するための電源端子を設けると、電源端子の得
面積が制約される。また、一つの辺のみから電源を供給したのでは、複数の単位回路まで
の配線距離の相違いが大きくなり、配線抵抗による電圧降下がばらつく。この発明によれ
ば、電源が対向する第２の辺及び第３の辺から供給されるので、電圧降下のばらつきを抑
圧することができる。
【０００６】
より具体的には、前記複数のデータ線は、前記第１の辺の端部に形成された複数のデー
タ入力端子と電気的に接続され、前記基板の外部から前記複数のデータ入力端子に前記デ
ータ信号を供給するデータ線駆動回路を備えてもよい。この場合に、第１の辺に電源端子
を配置すると、電源端子の面積を狭くする必要があるが、電源端子は、第２の辺及び第３
の辺に配置されるので、電源端子の面積を大きく取ることができる。この結果、電源イン
ピーダンスを低減することができる。
【０００７】
また、前記発光領域と前記第１の辺との間に形成され、前記複数のデータ線に前記デー
タ信号を供給するデータ線駆動回路を備えてもよい。この場合に、第１の辺に電源端子を
設けると、データ線駆動回路を迂回して発光領域に形成された補助電源配線に電源を供給
するか、あるいは、データ線駆動回路と交差する配線を用いて電源を補助電源配線に供給
する必要がある。前者の場合は配線距離が長くなり、後者の場合は寄生容量によってデー
タ線駆動回路の内部信号の波形が鈍り、誤動作の可能性が大きくなる。この発明によれば
、電源を第２の辺及び第３の辺から供給するので、補助電源配線までの距離を短くするこ
とができ、さらに、データ線駆動回路との間に寄生容量が発生することもない。したがっ
て、安定して電源を供給することができ、データ線駆動回路の信頼性を向上させることが
できる。
【０００８】
また、上述した発光装置は、前記複数の単位回路の各々は一方の電極と他方の電極を有
する発光素子を有し、前記複数の電源端子は、高電位側の電源と低電位側の電源の双方が
供給され、一方の電位が供給される複数の第１電源端子と他方の電位が供給される複数の
第２電源端子とを有し、前記第２の辺と前記発光領域の間、及び前記第３の辺と前記発光
領域との間に設けられ、前記第１電源端子と電気的に接続されると共に前記複数の補助電
源配線と電気的に接続される第１配線と、前記第２の辺と前記発光領域の間、及び前記第
３の辺と前記発光領域との間に設けられ、前記第２電源端子と電気的に接続されると共に
前記一方の電極と電気的に接続される第２配線とを備えることが好ましい。
さらに、前記第２の辺及び前記第３の辺において、前記第１電源端子と前記第２電源端
子とを交互に配置することが好ましい。この場合には、第１配線及び第２配線からの高電
位電源及び低電位電源の供給を安定化することができる。
【０００９】
くわえて、前記第２の辺の前記第１電源端子と前記第３の辺の前記第２電源端子とが対
向し、前記第３の辺の前記第１電源端子と前記第２の辺の前記第２電源端子とが対向する
ように前記複数の第１電源端子及び前記複数の第２電源端子を配置することが好ましい。
この場合には、第１電源端子と第２電源端子とが櫛歯状に配置されるので、高電位電源と
低電位電源とを均一に供給することができる。
【００１０】
また、上述した発光装置において、前記第１の基板は複数の層が積層されており、前記
第２電源端子と前記第２配線とは共に第１の層によって構成されていることが好ましい。
この構成によれば、第２電源端子と第２配線との間にコンタクトホールを形成する必要が
ないので、コンタクトホールによる抵抗を低減することができる。例えば、第１の基板に
トランジスタを形成する場合には、第１の層をトランジスタのソース電極を形成する層と
同一の層に形成することができる。
【００１１】
また、上述した発光装置において、前記第１配線と前記第２配線とは絶縁性の層を介し
て交差しており、前記第１配線は、前記第１の層と前記絶縁性の層を介して隔たる第２の
層によって構成され、前記第１電源端子は前記第１の層によって構成され、前記第１電源
端子及び前記第１配線は、前記第１の層と前記第２の層との間に設けられたコンタクトホ
ールによって接続されることが好ましい。この場合には、第１配線と第２配線とは、絶縁
性の層を介して対向する交差部分がある。交差部分には寄生容量が発生するので、高電位
電源及び低電位電源を安定化することができる。
【００１２】
なお、第１の辺にデータ入力端子を備える場合には、前記第１の基板の周辺には、前記
発光領域を外気から遮断するための第２の基板を貼り合わせる領域が形成されており、前
記データ入力端子及び前記データ線は前記第１の層で形成され、前記データ入力端子及び
前記データ線は、コンタクトホールを介して前記第２の層で形成された信号配線と接続さ
れ、前記領域と前記信号配線とは交差するように配置されることが好ましい。第１の基板
と第２の基板とをフィラーを含む接着剤で固着する場合、フィラーによって貼り合わせの
領域が損傷することがある。第１電源端子及び第２電源端子は第１の層で形成されるが、
第２の層は絶縁性の層を介して第１の層から離れている。フィラーによって領域の表面が
損傷されたとしても第１の層より第２の層の方が損傷を受け難いから、データ信号の伝送
の信頼性を向上させることができる。
【００１３】
また、上述した発光装置において、前記第１配線と前記第２配線の少なくとも一方は、
前記第１の辺に対向する第４の辺と前記発光領域の間にも形成されており、この部分と前
記第１の辺と前記発光領域の間に設けられた部分及び前記第２の辺と前記発光領域の間に
設けられた部分とが一体として形成されていることが好ましい。この発明によれば、第１
配線と第２配線の少なくとも一方は、第４の辺と発光領域の間にも形成されているので、
電源インピーダンスをより一層低減することができる。ここで、第１配線が第４の辺と発
光領域の間にも形成されている場合には、この部分と補助電源配線を電気的に接続して、
複数の単位回路に供給する高電位電源のばらつきを改善してもよい。
【００１４】
また、上述した発光装置において、前記発光領域と前記第２の辺及び前記発光領域と前
記第３の辺の間に設けられ、前記複数の単位回路を制御する走査信号を生成し、前記発光
領域に形成された複数の走査線に出力する走査線駆動回路とを備え、前記第１配線と前記
第２配線とが交差する部分を、前記走査線駆動回路と前記第２の辺との間、及び前記走査
線駆動回路と前記第３の辺との間に設けることが好ましい。この場合には、交差部分に寄
生容量が形成されるので、高電位電源と低電位電源を安定させることができる。また、補
助電源配線が走査線駆動回路を跨ぐことになるが、補助電源配線の線幅を第１配線の線幅
をより狭くすることにより、走査線駆動回路に発生する寄生容量を低減して動作の信頼性
を向上させることができる。なお、前記第１配線と前記第２配線とが交差する部分は、前
記走査線駆動回路に沿って複数設けられていることが好ましい。
【００１５】
また、上述した発光装置において、前記第２の辺及び前記第３の辺の端部に設けられ、
前記走査線駆動回路に用いる電源が供給される複数の第３電源端子と、前記第３電源端子
と前記走査線駆動回路とを電気的に接続する第３配線とを備え、前記第３配線と前記第１
配線とが交差することが好ましい。第３配線と第１配線の交差部分に寄生容量を発生させ
ることができるので、走査線駆動回路に用いる電源及び高電位電源を安定化することがで
きる。なお、前記第３配線と前記第１配線とが交差する部分は、前記走査線駆動回路に沿
って複数設けることにより、より一層安定化を図ることが可能となる。
【００１６】
また、上述した発光装置において、前記第１の辺の端部に設けられ、前記走査線駆動回
路を制御する制御信号が供給される制御入力端子と、前記制御入力端子と前記走査線駆動
回路とを電気的に接続する制御配線とを備えることが好ましい。この場合には、各種の電
源が第２の辺及び第３の辺から供給される一方、第１の辺から制御信号を供給するので、
第１配線、第２配線及び第３配線と制御配線の交差を容易に回避できる。このため、制御
信号の波形劣化による走査線駆動回路の誤動作を防止することができる。
【００１７】
次に、本発明に係る電子機器は、上述した発光装置を備えたものであって、例えば、デ
ィスプレイ等の表示装置、これを用いた携帯電話機、パーソナルコンピュータ、あるいは
プリンタヘッド、これを用いたプリンタ等が該当する。
【発明を実施するための最良の形態】
【００１８】
以下、本発明の実施形態について図面を参照して説明する。
＜１．第１実施形態＞
図１は、本発明の第１実施形態に係る発光装置１Ａの構成を示す平面図である。この発
光装置１Ａは、パネル１０とフレキシブル基板２０、３０Ａ及び３０Ｂとを備える。パネ
ル１０は、第１の基板１０Ａと第２の基板１０Ｂとを備える。第２の基板１０Ｂは、第１
の基板１０Ａより若干小さい。第１の基板１０Ａと第２の基板１０Ｂとは、第１の基板１
０Ａの周辺に形成された領域Ｒにおいて、例えばフィラーを含む接着剤によって固着され
る。第２の基板１０Ｂは封止基板として機能し、外気や水分が内部に浸入することによっ
て、ＯＬＥＤ素子７０等の特性劣化を防止する。なお、理解を容易にするために、図１で
は第２の基板１０Ｂを省略して記載してある。
【００１９】
第１の基板１０Ａの端部には、端子が形成され、この端子とフレキシブル基板２０、３
０Ａ及び３０Ｂに形成された端子とが、ＡＣＦ（Anisotropic conductive film:異方性導
電膜）と呼ばれる導電粒子を含有したフィルム状の接着剤を介して圧着固定される。また
、フレキシブル基板２０には、データ線駆動回路２００が設けられており、さらに、フレ
キシブル基板３０Ａ及び３０Ｂを介して高電位電源Ｖｅｌと低電位電源Ｖｓｓとがパネル
１０に供給される。
【００２０】
第１の基板１０Ａの中央付近には発光領域Ａが形成され、発光領域Ａと左辺（第２の辺
）との間、及び発光領域Ａと右辺（第３の辺）との間には、走査線駆動回路１００Ａ及び
１００Ｂが配置される。走査線駆動回路１００Ａ及び１００Ｂは順次アクティブとなる走
査信号を生成し、複数の走査線６８に供給する。発光領域Ａには、複数の走査線６８及び
複数の補助電源配線８１が下辺及び上辺に平行に形成され、複数のデータ線６７が左辺及
び右辺に平行に形成される。
【００２１】
また、発光領域Ａには複数の単位回路Ｐが形成される。各単位回路Ｐは、第１トランジ
スタ６０、第２トランジスタ６５、保持容量６６及びＯＬＥＤ素子７０を備える。ＯＬＥ
Ｄ素子７０は、陽極と陰極との間に発光材料を挟持して構成される。後述するように複数
のＯＬＥＤ素子７０の陰極は共通しており面形状をしている（図４に示す共通電極７２を
参照）。第１トランジスタ６０のソース電極は補助電源配線８１に接続され、そのゲート
電極は第２トランジスタ６５のドレイン電極に接続され、そのドレイン電極はＯＬＥＤ素
子７０の陽極に接続される。第２トランジスタ６５のソース電極はデータ線６７と接続さ
れ、そのゲート電極は走査線６８と接続される。また、第１トランジスタ６０のゲート・
ソース間には保持容量６６が設けられている。第１トランジスタ６０はゲート・ソース間
電圧に応じた駆動電流をＯＬＥＤ素子７０に供給する。データ線６７にはＯＬＥＤ素子７
０で表示すべき階調を示すデータ信号が供給される。走査線６８を介して供給される走査
信号がアクティブになると、第２トランジスタ６５がオン状態となる。このとき、データ
信号が単位回路Ｐに取り込まれ、保持容量６６によってゲート電位が保持される。ＯＬＥ
Ｄ素子７０に流れる駆動電流は第１トランジスタ６０のゲート・ソース間電圧によって決
定される。
【００２２】
第１の基板１０Ｂの下辺（第１の辺）の端部には、複数のデータ入力端子Ｔ３が形成さ
れている。また、第１の基板１０Ｂの左辺（第２の辺）の端部には、第１電源端子Ｔ１ａ
と第２電源端子Ｔ２ａとが交互に配置されている。さらに、第１の基板１０Ｂの右辺（第
３の辺）の端部にも、第１電源端子Ｔ１ｂと第２電源端子Ｔ２ｂとが交互に配置されてい
る。この例では、第１電源端子Ｔ１ａ及びＴ１ｂには高電位電源Ｖｅｌが供給され、第２
電源端子Ｔ２ａ及びＴ２ｂには低電位電源Ｖｓｓが供給される。このように高電位電源Ｖ
ｅｌを供給する端子と低電位電源Ｖｓｓを供給する端子とを交互に配置することによって
、電源供給を均一化することができる。
【００２３】
第１電源端子Ｔ１ａ及びＴ１ｂは第１配線８０と電気的に接続され、第２電源端子Ｔ２
ａ及びＴ２ｂは第２配線７８と電気的に接続される。第１配線８０及び第２配線７８は、
左辺と発光領域Ａの間、及び右辺と発光領域Ａとの間に左辺及び右辺の沿って設けられて
いる。また、第２配線７８は、各ＯＬＥＤ素子７０に共通の陰極（共通電極７２）と接続
される電極コンタクト７７を有する。電極コンタクト７７は縦長の形状をしており、大面
積で共通電極７２と接続される。このため、共通電極７２の四隅で接続する場合と比較し
て接触抵抗を大幅に下げることができる。第１配線８０は、発光領域Ａに形成された複数
の補助電源配線８１と電気的に接続されている。
【００２４】
上述したようにＯＬＥＤ素子７０の駆動電流は、第１トランジスタ６０のゲート・ソー
ス間電圧によって定まるが、ソース電位は高電位電源Ｖｅｌによって与えられる。したが
って、複数の単位回路Ｐに供給される高電位電源Ｖｅｌがばらつくと、輝度ムラが発生す
る。データ線６７を延長した直線が交わる下辺から高電位電源Ｖｅｌを供給すると、各単
位回路Ｐまでの距離が大きく相違し、配線抵抗による電圧降下がばらつく。これに対して
本実施形態では、下辺と異なり、対向する左辺及び右辺から高電位電源Ｖｅｌを供給した
ので、電圧降下を低減して輝度ムラを大幅に改善することができる。さらに、各第１電源
端子Ｔ１ａ及びＴ１ｂと第１配線８０との距離、各第２電源端子Ｔ２ａ及びＴ２ｂと第２
配線７８との距離を各々均等にでき、第１配線８０及び第２配線７８による電源供給を安
定化でき、複数のＯＬＥＤ素子７０を均一な輝度で発光させることができる。
【００２５】
また、下辺側にはデータ入力端子Ｔ３が配置されるため、高電位電源Ｖｅｌ及び低電位
電源Ｖｓｓを供給する電源端子を配置したとしても、その面積が制限される。特に、高精
細な画像を表示する場合には、データ線６７の本数が増加するため、電源端子の面積を縮
小せざるを得ない。これに対して本実施形態では、左辺及び右辺から高電位電源Ｖｅｌ及
び低電位電源Ｖｓｓを供給したので、電源インピーダンスを大幅に低減することができる
。さらに、第１配線８０及び第２配線７８がデータ線６７と交差することがないので、デ
ータ信号が寄生容量によって劣化することを防止できる。
【００２６】
また、走査線駆動回路１００Ａ及び１００Ｂはクロック信号に従ってスタートパルスを
順次シフトして走査信号を生成する。クロック信号などの内部信号の波形が寄生容量によ
って鈍ると走査線駆動回路１００Ａ及び１００Ｂが誤動作する虞がある。本実施形態では
、走査線駆動回路１００Ａ及び１００Ｂは、第１配線８０及び第２配線７８よりも発光領
域Ａに近接して配置したので、第１配線８０及び第２配線７８が走査線駆動回路１００Ａ
及び１００Ｂと交差することがなく、走査線駆動回路１００Ａ及び１００Ｂと交差するの
は、第１配線８１と比較して線幅の狭い補助電源配線６８である。このため、寄生容量を
小さくすることができ、波形劣化を抑制して、走査線駆動回路１００Ａ及び１００Ｂを安
定して動作させることが可能となる。
【００２７】
図２は、図１の位置Ｙ２において領域Ｘまで第１の基板１０Ａを切断した断面図である
。同図に示すように、第１の基板１０Ａは基板３０の上に下地保護層３１が形成され、そ
の上にトランジスタ４０及び５０が形成される。トランジスタ４０はｎチャネル型、トラ
ンジスタ５０はｐチャネル型であり、走査線駆動回路１００Ａの一部である。
【００２８】
トランジスタ４０及び５０は、ＳｉＯ２を主体とする下地保護層３１を介して基板３０
の表面に設けられている。下地保護層３１の上層にはシリコン層４０１及び５０１が形成
される。ゲート絶縁層３２はシリコン層４０１及び５０１を覆うように下地保護層３１の
上層に設けられる。ゲート絶縁層３２の上面のうちシリコン層４０１及び５０１に対向す
る部分にゲート電極４２及び５２が設けられる。トランジスタ４０においてゲート電極４
２を介してシリコン層４０１にはＶ族元素がドーピングされ、ドレイン領域４０ｃおよび
ソース領域４０ａが形成される。ここで、Ｖ族元素がドーピングされていない領域がチャ
ネル領域４０ｂとなる。
【００２９】
トランジスタ５０においてゲート電極５２を介してシリコン層５０１にはIII族元素が
ドーピングされ、ドレイン領域５０ａ及びソース領域５０ｃが形成される。III族元素が
ドーピングされていない領域がチャネル領域５０ｂとなる。ここで、ゲート電極４２及び
５２が形成されるのと同時に第１配線８０が形成される。すなわち、第１配線８０は、ゲ
ート電極４２及び５２と同一の層で形成される。
【００３０】
第１層間絶縁層３３はゲート電極４２、５２及び第１配線８０を覆うようにゲート絶縁
層３２の上層に形成される。第１層間絶縁層３３にはＳｉＯ２等が用いられる。さらに、
ソース電極４１、５１、及びドレイン・ソース電極４３が、ゲート絶縁層３２および第１
層間絶縁層３３にわたって開孔するコンタクトホールを介してシリコン層４０１及び５０
１と接続される。さらに、これらの電極の形成と同時に第２配線７８が形成される。すな
わち、第２配線７８はソース電極と同一の層で形成される。
【００３１】
そして、パシベーション膜３４が、ソース電極４１、５１、及びドレイン・ソース電極
４３、並びに第２配線７８を覆うように第１層間絶縁層３３の上層に設けられる。パシベ
ーション膜３４は、例えば、窒化珪素を材料とする。これにより、トランジスタ４０及び
５０からの水素の離脱を防止する。
【００３２】
次に、パシベーション膜３４の一部を除去して第２電源端子Ｔ２ａ及び電極コンタクト
７７が形成される。すなわち、第２電源端子Ｔａ２と第２配線７８とは共にソース電極を
形成する層（第１の層）によって構成されている。したがって、コンタクトホールを介し
て両者を接続する必要がないので、抵抗成分を低減して電圧降下を防止することができる
。
【００３３】
次に、第２層間絶縁層３５がパシベーション膜３４の上層に設けられる。第２層間絶縁
層３５は、例えば、アクリルもしくはポリイミド等の有機樹脂を材料とする。この場合、
有機樹脂にパターニングのための感光性材料を混合して、直接レジストと同様にパターニ
ングしても良い。第２層間絶縁層３５の材料としては、パシベーション膜３４と同様に酸
化珪素を用いても良い。あるいは、第１層間絶縁層３３と同様にＳｉＯ２を用いても良い
。但し、酸化珪素やＳｉＯ２を用いた場合の膜厚は１μｍにとどまるのに対し、有機樹脂
の場合には２〜３μｍ程度の膜厚にできる。したがって、有機樹脂の方が厚膜化に適して
いる。
【００３４】
次に、第２層間絶縁層３５から第１配線８０に達するコンタクトホールを形成し、補助
電源配線８１を形成する。補助電源配線８１の材料としては、アルミニウムなどの金属を
用いることができる。次に、隔壁３７を例えば、アクリルもしくはポリイミド等を用いて
形成する。この場合、パターニングのため感光性材料を混合して、直接レジストと同様に
パターニングしても良い。さらに、隔壁３７を覆うように共通電極７２を形成する。この
例の共通電極７２は、各ＯＬＥＤ素子７０の陰極として機能する。共通電極７２は電子を
注入しやすいように、仕事関数が低い材料によって形成される。例えば、アルミ、カルシ
ウム、マグネシウム、またはリチウム等やその合金である。また、合金は仕事関数が低い
材料とその材料を安定化される材料を用いることが望ましい。例えば、マグネシウムと銀
の合金が好適である。共通電極７２は電極コンタクト７７において第２配線７８と電気的
に接続される。
【００３５】
図３に単位回路Ｐの断面図を示す。この図には、ＯＬＥＤ素子７０と第１トランジスタ
６０を示す。第１トランジスタ６０は、上述したトランジスタ５０と同様に形成される。
画素電極７６は、ＯＬＥＤ素子７０の陽極であり、第２層間絶縁層３５およびパシベーシ
ョン膜３４にわたって開孔するコンタクトホールを介して第１トランジスタ６０のドレイ
ン電極６１と接続される。また、画素電極７６の材料としては、仕事関数が大きい材料が
望ましく、例えば、ニッケル、金、白金等やその合金が好適である。なお、補助電源配線
８１は、画素電極７６と同時に形成しても良く、その場合には、画素電極７６と同じ材料
を用いて補助電源配線８１を形成すればよい。
【００３６】
次に、画素電極７６の上に、少なくとも発光層を含む有機化合物層７４を形成する。発
光層には、発光能を有する有機ＥＬ物質が用いられる。有機ＥＬ物質は、低分子材料であ
っても良いし、高分子材料であっても良い。有機化合物層７４を構成する他の層として、
正孔注入層、正孔輸送層、電子輸送層、電子注入層、正孔ブロック層、および電子ブロッ
ク層の一部又は全部を備えていてもよい。
【００３７】
次に、有機化合物層７４を覆うように、共通電極７２が形成される。ここで、共通電極
７２は電極用コンタクト７７と発光領域Ａの外側で接続される。共通電極７２は、図４に
示すように発光領域Ａ、走査線駆動回路１００Ａ及び１００Ｂ、並びに第１配線８０を覆
うように形成される。
【００３８】
この例のＯＬＥＤ素子７０は、下側に光を照射するボトムエミッション構造を採用する
が上側に光を照射するトップエミション構造を採用してもよい。トップエミション構造で
は、ＯＬＥＤ素子７０の光を上側から取り出すため、ＯＬＥＤ素子７０の画素電極７２を
反射電極として構成することがある。この場合には、反射電極を形成する層で補助電源配
線８１を形成することが好ましい。
【００３９】
図５は、図１の位置Ｙ１において領域Ｘまで第１の基板１０Ａを切断した断面図である
。この図に示すように第１配線８０は、第１電源端子Ｔ１ａの下部に延存しており、第１
層間絶縁層３３に形成されたコンタクトホールを介して第１電源端子Ｔ１ａと接続されて
いる。ここで、第１電源端子Ｔ１ａは、第２配線７８及び第２電源端子Ｔａ２と同様に、
ソース電極を形成する層（第１の層）によって構成される。このように第１電源端子Ｔ１
ａと第２電源端子Ｔ２ａを同一の層で構成することにより、端子領域を平坦化することが
できる。この結果、第１の基板１０Ａとフレキシブル基板３０Ａとを高い信頼性の下に固
着できる。
【００４０】
また、第１配線８０と第２配線７８とは第１層間絶縁層３３を介して交差しており、第
１配線８０は、ソース電極が形成される層（第１の層）とは第１層間絶縁層３３を介して
隔たるゲート電極が形成される層（第２の層）によって構成される。したがって、第１配
線８０と第２配線７８との交差部分Ｚにおいて寄生容量が形成される。交差部分Ｚは複数
形成される。具体的には、図１に示す第１電源端子Ｔ１ａ及びＴ１ｂの数だけある。した
がって、第１配線８０と第２配線７８の間に等価的に大容量のコンデンサが形成される。
この結果、高電位電源Ｖｅｌと低電位電源Ｖｓｓの電位を安定化することができる。
【００４１】
さらに、第１電源端子Ｔ１ａ及びＴ１ｂ、第２電源端子Ｔ２ａ及びＴ２ｂ、第１配線８
０、及び第２配線７８は、走査線駆動回路１００Ａ及び１００Ｂ、並びに単位回路Ｐの第
１トランジスタ６０及び第２トランジスタ６５のソース電極及びゲート電極と同時に形成
される。したがって、製造工程を増加させることなく、これらを構成することができる。
【００４２】
また、交差部分Ｚは、第１の基板１０Ａと第２の基板１０Ｂとを貼り合わせる領域Ｒと
重ならないように配置されている。第１の基板１０Ａと第２の基板１０Ｂとの貼り合わせ
には接着剤を用いる。接着剤中にはフィラーが混入されているため、フィラーが領域Ｒを
下方向に押し下げる虞がある。このため、交差部分Ｚと領域Ｒが重なると高電位電源Ｖｅ
ｌと低電位電源Ｖｓｓが短絡する可能性がある。本実施形態では、交差部分Ｚと領域Ｒと
重ならないように配置されているので、短絡不良を未然に防止することができる。
なお、上述した第１実施形態においては、第１電源端子Ｔ１ａ及びＴ１ｂに高電位電源
Ｖｅｌを供給し、第２電源端子Ｔ２ａ及びＴ２ｂに低電位電源Ｖｓｓを供給したが、単位
回路Ｐの構成によっては、この逆であってもよい。例えば、ｐチャネルの第１トランジス
タ６０の替わりにｎチャネルの駆動トランジスタを用いる場合には、第１補助電源配線８
１とＯＬＥＤ素子７０の陽極を接続し、ＯＬＥＤ素子７０の陰極とｎチャネルの駆動トラ
ンジスタのドレインを接続し、そのソースを共通電極７２に接続し、保持容量６６を駆動
トランジスタ６０のゲート・ソース間に接続すればよい。
【００４３】
図６に、第１実施形態の変形例１を示す。図１に示す発光装置１Ａでは、左辺の第１電
源端子Ｔ１ａと右辺の第１電源端子Ｔ１ｂが対向し、左辺の第２電源端子Ｔ２ａと右辺の
第２電源端子Ｔ２ｂが対向するように電源端子を配置した。これに対して、図６に示す発
光装置１Ｂでは、左辺の第１電源端子Ｔ１ａと右辺の第２電源端子Ｔ２ｂとが対向し、右
辺の第１電源端子Ｔ１ｂと左辺の第２電源端子Ｔ２ａとが対向するように電源端子を配置
する。このように、第１電源端子Ｔ１ａ及びＴ１ｂと第２電源端子Ｔ２ａ及びＴ２ｂとを
櫛歯状に配置することにより、第１配線８０及び第２配線７８から供給する高電位電源Ｖ
ｅｌと低電位電源Ｖｓｓとをより一層均一化することができる。
【００４４】
図７に、第１実施形態の変形例２を示す。図１に示す発光装置１Ａでは、データ線駆動
回路２００はフレキシブル基板２０に固着されていたが、図７に示す発光装置１Ｃではデ
ータ線駆動回路２００を第１の基板１０Ａに設ける。データ線駆動回路２００は、走査線
駆動回路１００Ａ及び１００Ｂと同一のプロセスで構成してもよいし、あるいはＩＣチッ
プとして用意し、これを第１の基板１０ＡにＣＯＧ（chip on glass）技術によって固着
してもよい。また、画像データが供給される入力端子Ｔｇは左辺又は右辺に設けられても
よい。
【００４５】
＜２．第２実施形態＞
図８に、第２実施形態の発光装置１Ｄの平面図を示す。発光装置１Ｄは、第１配線８０
、補助電源配線８１、第２配線７８、及び電極コンタクト７７の配置を除いて、図６に示
す第１実施形態の発光装置１Ｂと同様に構成されている。
この例の第１配線８０及び第２配線７８は、左辺と右辺だけでなく上辺（第４の辺）に
沿って形成されている。つまり、左辺側と右辺側の配線が連結されている。このような配
線構造を採用することによって、電源インピーダンスを低減できるので、高電位電源Ｖｅ
ｌと低電位電源Ｖｓｓをより一層安定して供給することができる。
【００４６】
また、電極コンタクト７８は、第２配線７８の外周内側に沿って設けられるので、第１
実施形態と比較して、その面積を拡大することができる。この結果、低電位電源Ｖｓｓの
電位をより一層安定化できる。さらに、補助電源配線８１は、横方向だけでなく縦方向に
も延存する。このため、高電位電源Ｖｅｌの電位をより一層安定化できる。さらに縦方向
の補助電源配線８１と横方向の補助電源配線とが交差する部分で接続してもよい。具体的
には両者を同一の層で構成すればよい。このような構造を採用することで、発光領域Ａの
内部に網の目状の電源配線を形成することができ、各単位回路Ｐに供給する高電位電源Ｖ
ｅｌのばらつきをより一層低減することができる。
【００４７】
＜３．第３実施形態＞
図９に、第３実施形態の発光装置１Ｅの平面図を示す。発光装置１Ｅは、第１配線８０
と第２配線７８との配置関係を除いて、図６に示す第１実施形態の発光装置１Ｂと同様に
構成されている。
図６に示す第１実施形態の発光装置１Ｂでは、走査線駆動回路１００Ａ及び１００Ｂと
第２配線７８との間に第１配線８０を配置した。これに対して、本実施形態の発光装置１
Ｅは、走査線駆動回路１００Ａ及び１００Ｂと第１配線８０との間に第２配線７８を配置
した。これにより、共通電極７２を形成する領域を狭くすることができる。さらに、共通
電極８２と領域Ｒとの距離を長くすることができる。共通電極８２やＯＬＥＤ素子７０は
、外気や水分などによって劣化するが、これらは第１の基板１０Ａと第２の基板１０Ｂと
を貼り合わせる領域Ｒから侵入する。したがって、領域Ｒから共通電極８２までの距離を
長くすることにより、劣化を防止することができる。
なお、発光装置１Ｅにおいて、第１電源端子Ｔ１ｂ及び第２電源端子Ｔ２ｂの配置は、
図１に示す発光装置１Ａのそれらの配置と逆になっている。このため、図６に示す発光装
置１Ｂと同様に電源を安定して供給することができる。
【００４８】
＜４．第４実施形態＞
図１０に、第４実施形態の発光装置１Ｆの平面図を示す。発光装置１Ｅは、第１配線８
０と第２配線７８との配置関係、補助電源配線８１の配置、及び第１電源端子Ｔ１ｂと第
２電源端子Ｔ２ｂの位置関係を除いて、図１に示す第１実施形態の発光装置１Ａと同様に
構成されている。
図１０に示すように、発光装置１Ｅの第１配線８０と第２配線７８とは、ほぼ重なるよ
うに配置されている。このように配置することによって、貼り合わせ領域Ｒの内側（いわ
ゆる額縁内）の面積を縮小することができ、ひいては第１の基板１０Ａ及び第２の基板１
０Ｂの面積を削減することができる。
また、補助電源配線８１をジクザグに配置して、発光領域Ａに形成される補助電源配線
８１の本数に対して、走査線駆動回路１００Ａ及び１００Ｂを跨ぐ補助電源配線８１の本
数が半分になるようにした。これにより、補助電源配線８１と走査線駆動回路８１との間
で発生する寄生容量をより低減することができる。この結果、走査線駆動回路１００ａ及
び１００Ｂの誤動作より一層防止することができる。
なお、発光装置１Ｅにおいて、第１電源端子Ｔ１ｂ及び第２電源端子Ｔ２ｂの配置は、
図１に示す発光装置１Ａのそれらの配置と逆になっている。このため、図６に示す発光装
置１Ｂと同様に電源を安定して供給することができる。
【００４９】
＜５．第５実施形態＞
図１１に、第５実施形態の発光装置１Ｇの平面図を示す。発光装置１Ｇは、走査線駆動
回路１００Ａ及び１００Ｂに駆動電源を供給する第３電源端子Ｔ３ａ及びＴ３ｂを左辺及
び右辺に設ける点、下辺に制御入力端子Ｔ４を配置しフレキシブル基板２０に設けた制御
回路３００から制御信号を供給する点を除いて、図１に示す第１実施形態の発光装置１Ａ
と同様に構成されている。
【００５０】
発光装置１Ｇでは、下辺（データ線を延長した直線と第１の基板が交わる辺）に設けら
れた制御入力端子Ｔ４と走査線駆動回路１００Ａ及び１００Ｂとを接続する信号配線８３
が形成されている。この信号配線８３を介してスタートパルスやクロック信号などの制御
信号が走査線駆動回路１００Ａ及び１００Ｂに供給される。
【００５１】
ここで、信号配線８３及び制御入力端子Ｔ４、並びにデータ線６７及びデータ入力端子
Ｔ３は、ソース電極を形成する層（第１の層）で構成される。信号配線８３及びデータ線
６７は、貼り合わせの領域Ｒの内部においてコンタクトホールを介して、制御信号接続線
８３ａ及びデータ信号接続線６７ａと各々接続される。制御信号接続線８３ａ及びデータ
信号接続線６７ａは領域Ｒの内側から外側に延存している。そして、制御信号接続線８３
ａ及びデータ信号接続線６７ａは領域Ｒの外側において、コンタクトホールを介して制御
入力端子Ｔ４及びデータ入力端子Ｔ３に接続される。このように、領域Ｒと交差する部分
では、ソース電極を形成する層よりも下に位置するゲート電極を形成する層を用いた配線
構造を採用することにより、配線の損傷を未然に防止することができる。これにより、制
御信号及びデータ信号を確実に伝送することが可能となる。
【００５２】
走査線駆動回路１００Ａ及び１００Ｂは、シフトレジスタなどのロジック回路とバッフ
ァ回路を含む。バッファ回路は、ロジック回路の出力信号の信号レベルをレベルシフトす
る機能を有する。このため、駆動電源として、ロジック回路用の電源とバッファ回路用の
電源が必要となる。これらの電源は、複数の第３電源端子Ｔ３ａ及びＴ３ｂから供給され
る。第３電源端子Ｔ３ａ及びＴ３ｂと走査線駆動回路１００Ａ及び１００Ｂとは、電源配
線８４を介して接続されている。
【００５３】
ここで、電源配線８４と第１配線８０とは交差し、電源配線８４と第２配線７８は交差
する。このように交差部分を設けると、交差部分に寄生容量が発生する。この結果、駆動
電源と高電位電源Ｖｅｌの間の電圧変動、及び駆動電源と低電位電源Ｖｓｓとの間の電圧
変動を抑圧することができる。
【００５４】
より具体的には、高電位電源Ｖｅｌ及び第１トランジスタ６０の閾値電圧によって定ま
る電位を上回るか否かによって、第１トランジスタ６０はオン・オフする。さらに、第１
トランジスタ６０のゲート電位、データ信号の電位、及び第２トランジスタ６５の閾値電
圧によって定まる電位を上回るか否かによって、第２トランジスタ６５はオン・オフする
。ここで、第１トランジスタ６０及び第２トランジスア６５の閾値電圧は固定であるので
、データ信号が取り得る全ての電位に対して安定して動作するように高電位電源Ｖｅｌの
電位と走査信号の電位を設定する必要がある。
【００５５】
電源配線８４は、上述したように走査信号の電位を定めるバッファ回路用の電源を伝送
するので、電源配線８４と高電位電源Ｖｅｌを供給する第１配線８０との間に寄生容量が
発生すると、高電位電源Ｖｅｌの電位と走査信号の電位を安定化させることができる。こ
の結果、第２トランジスタ６５によってデータ信号を確実に単位回路Ｐに取り込むができ
、データ信号の書き込みの信頼性を向上させることができる。
【００５６】
＜６．応用例＞
次に、本発明に係る発光装置を適用した電子機器について説明する。図１２は、上記実
施形態に係る発光装置１Ａ〜１Ｇを表示装置に適用したモバイル型のパーソナルコンピュ
ータの構成を示す斜視図である。パーソナルコンピュータ２０００は、表示装置としての
発光装置１Ａと本体部２０１０とを備える。本体部２０１０には、電源スイッチ２００１
およびキーボード２００２が設けられている。この発光装置１Ａ〜１ＧはＯＬＥＤ素子７
０を用いるので、視野角が広く見易い画面を表示できる。
【００５７】
図１３に、上記実施形態に係る発光装置１Ａ〜１Ｇを適用した携帯電話機の構成を示す
。携帯電話機３０００は、複数の操作ボタン３００１およびスクロールボタン３００２、
ならびに表示装置としての発光装置１Ａ〜１Ｇを備える。スクロールボタン３００２を操
作することによって、発光装置１Ａに表示される画面がスクロールされる。
【００５８】
図１４に、上記実施形態に係る発光装置１Ａ〜１Ｇを適用した情報携帯端末（ＰＤＡ：
Personal Digital Assistants）の構成を示す。情報携帯端末４０００は、複数の操作ボ
タン４００１および電源スイッチ４００２、ならびに表示装置としての発光装置１Ａを備
える。電源スイッチ４００２を操作すると、住所録やスケジュール帳といった各種の情報
が発光装置１Ａに表示される。
【００５９】
なお、本発明に係る発光装置が適用される電子機器としては、図１２から図１４に示し
たもののほか、デジタルスチルカメラ、テレビ、ビデオカメラ、カーナビゲーション装置
、ページャ、電子手帳、電子ペーパー、電卓、ワードプロセッサ、ワークステーション、
テレビ電話、ＰＯＳ端末、プリンタヘッドのような発光源、プリンタ、スキャナ、複写機
、ビデオプレーヤ、タッチパネルを備えた機器等等が挙げられる。
【図面の簡単な説明】
【００６０】
【図１】本発明の第１実施形態の発光装置１Ａの構成を示すブロック図である。
【図２】図１の位置Ｙ２において領域Ｘまで第１の基板１０Ａを切断した断面図である。
【図３】単位回路Ｐの断面図である。
【図４】発光装置１Ａにおける共通電極７２の配置を示す平面図である。
【図５】図１の位置Ｙ１において領域Ｘまで第１の基板１０Ａを切断した断面図である。
【図６】第１実施形態の変形例１に係る発光装置１Ｂの構成を示す断面図である。
【図７】第１実施形態の変形例２に係る発光装置１Ｃの構成を示す断面図である。
【図８】第２実施形態の発光装置１Ｄの構成を示す平面図である。
【図９】第３実施形態の発光装置１Ｅの構成を示す平面図である。
【図１０】第４実施形態の発光装置１Ｆの構成を示す平面図である。
【図１１】第５実施形態の発光装置１Ｇの構成を示す平面図である。
【図１２】パーソナルコンピュータの外観構成を示す斜視図である。
【図１３】携帯電話機の外観構成を示す斜視図である。
【図１４】携帯情報端末の外観構成を示す斜視図である。
【符号の説明】
【００６１】
１Ａ〜１Ｇ…発光装置、Ａ…発光領域、Ｐ…単位回路、１０Ａ…第１の基板、１０Ｂ…
第２の基板、２０，３０Ａ，３０Ｂ…フレキシブル基板、Ｔ１ａ，Ｔ１ｂ…第１電源端子
、Ｔ２ａ，Ｔ２ｂ…第２電源端子、Ｔ３ａ，Ｔ３ｂ…第３電源端子、Ｔ３…データ入力端
子、６７…データ線、７８…第１配線、８０…第２配線、８１…補助電源配線、１００Ａ
，１００Ｂ…走査線駆動回路、２００…データ線駆動回路。
【図１】
0005245213.tif 000002
【図２】
0005245213.tif 000003
【図３】
0005245213.tif 000004
【図４】
0005245213.tif 000005
【図５】
0005245213.tif 000006
【図６】
0005245213.tif 000007
【図７】
0005245213.tif 000008
【図８】
0005245213.tif 000009
【図９】
0005245213.tif 000010
【図１０】
0005245213.tif 000011
【図１１】
0005245213.tif 000012
【図１２】
0005245213.tif 000013
【図１３】
0005245213.tif 000014
【図１４】
0005245213.tif 000015